【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
生体認証のための認証モジュールと、該認証モジュールにより認証処理を行う際に必要なユーザーの生体情報および該生体情報に対応する秘密鍵を格納する耐タンパー性を備える記憶手段と、を有する携帯端末と通信できる通信機能を備える画像処理装置であって、
前記ユーザーのユーザーＩＤに関連付けて公開鍵が登録されたサービス提供システムで発行された検証用データを受信した場合に、指定された通信方式に従い、当該通信方式に対応する通信機能を用いて生体認証を行うべき認証モジュールの検索を行い、該検索の結果として前記携帯端末の有する認証モジュールを特定する特定手段と、
生体認証を行うべき認証モジュールとして前記携帯端末の有する認証モジュールが特定された際に、前記携帯端末に対して、検証用データを送信する第１送信手段と、
前記携帯端末の有する認証モジュールによる前記ユーザーの認証処理の成功に応じて前記記憶手段に格納された前記秘密鍵を用いて暗号化された前記検証用データが、前記携帯端末から返却された場合に、該暗号化されたデータを、前記サービス提供システムに対して送信する第２送信手段と、を有し、
前記画像処理装置に対するサービスの提供のために、前記サービス提供システムにおいて前記サービス提供システムに登録されている前記公開鍵により前記暗号化されたデータが検証されることを特徴とする画像処理装置。
【請求項２】
前記画像処理装置は、認証モジュールを特定するための認証方式及び通信方式の少なくともいずれかの方式を選択させるための第１画面を表示する表示手段と、
前記第１画面を介した選択に応じて、該サービス提供システムに対して、リクエストを送信するリクエスト手段と、を更に有し、
前記特定手段は、前記リクエストに応じて前記検証用データを受信した場合に、前記画面での選択に応じて指定された通信方式に従って、認証モジュールを特定することを特徴とする請求項１に記載の画像処理装置。
【請求項３】
前記表示手段により表示される前記第１画面では、少なくとも携帯端末で認証処理を行う方式を選択できることを特徴とする請求項２に記載の画像処理装置。
【請求項４】
前記表示手段は、さらに、前記第１画面を介した選択に応じて、認証モジュールの検索に係る案内を示す第２画面を表示することを特徴とする請求項２または３に記載の画像処理装置。
【請求項５】
前記携帯端末では、前記認証モジュールに対する前記ユーザーの生体情報の登録に際して、前記秘密鍵と前記公開鍵が作成され、
前記サービス提供システムで前記ユーザーのユーザーＩＤに対応づけて登録されるよう前記携帯端末から前記公開鍵が前記サービス提供システムに対して送信されることを特徴とする請求項１乃至４のいずれか１項に記載の画像処理装置。
【請求項６】
前記サービス提供システムは、前記サービスとして、前記ユーザーが前記サービス提供システムに登録したデータを前記画像処理装置に対して提供し、前記画像処理装置が該提供されたデータのプリント処理をすることを特徴とする請求項１乃至５のいずれか１項に記載の画像処理装置。
【請求項７】
前記画像処理装置は、前記ユーザーが前記サービス提供システムに前記データを登録した際に発行されたコードを入力するための入力手段を有し、
前記サービス提供システムは、前記画像処理装置に対して前記入力されたコードに対応する前記データを提供することを特徴とする請求項６に記載の画像処理装置。
【請求項８】
前記サービス提供システムは、前記サービスとして、前記ユーザーが利用可能な格納先を示す情報を前記画像処理装置に対して提供し、前記画像処理装置が、該提供された格納先を示す情報に対して、データを送信することを特徴とする請求項１乃至５のいずれか１項に記載の画像処理装置。
【請求項９】
前記画像処理装置は、前記格納先を示す情報に対して送信するデータを入力するための画像入力装置を備えることを特徴とする請求項８に記載の画像処理装置。
【請求項１０】
前記生体情報は、前記ユーザーの指紋、静脈、虹彩、声紋、及び顔画像の少なくともいずれかに係る情報であることを特徴とする請求項１乃至９のいずれか１項に記載の画像処理装置。
【請求項１１】
生体認証のための認証モジュールと、該認証モジュールにより認証処理を行う際に必要なユーザーの生体情報および該生体情報に対応する秘密鍵を格納する耐タンパー性を備える記憶手段と、を有する携帯端末と通信できる通信機能を備える画像処理装置における方法であって、
前記ユーザーのユーザーＩＤに関連付けて公開鍵が登録されたサービス提供システムで発行された検証用データを受信した場合に、指定された通信方式に従い、当該通信方式に対応する通信機能を用いて生体認証を行うべき認証モジュールの検索を行い、該検索の結果として前記携帯端末の有する認証モジュールを特定する特定ステップと、
生体認証を行うべき認証モジュールとして前記携帯端末の有する認証モジュールが特定された際に、前記携帯端末に対して、検証用データを送信する第１送信ステップと、
前記携帯端末の有する認証モジュールによる前記ユーザーの認証処理の成功に応じて前記記憶手段に格納された前記秘密鍵を用いて暗号化された前記検証用データが、前記携帯端末から返却された場合に、該暗号化されたデータを、前記サービス提供システムに対して送信する第２送信ステップと、を有し、
前記画像処理装置に対するサービスの提供のために、前記サービス提供システムにおいて前記サービス提供システムに登録されている前記公開鍵により前記暗号化されたデータが検証されることを特徴とする方法。
【請求項１２】
請求項１乃至１０のいずれか１項に記載の各手段としてコンピューターを機能させるためのプログラム。
【請求項１３】
生体認証のための認証モジュールと、該認証モジュールにより認証処理を行う際に必要なユーザーの生体情報および該生体情報に対応する秘密鍵を格納する耐タンパー性を備える記憶手段と、を有する携帯端末と、
前記携帯端末と通信できる通信機能を備える画像処理装置と、
前記ユーザーのユーザーＩＤに関連付けて公開鍵が登録されたサービス提供システムと、を含むシステムであって、
前記画像処理装置における、前記サービス提供システムで発行された検証用データを受信した場合に、指定された通信方式に従い、当該通信方式に対応する通信機能を用いて生体認証を行うべき認証モジュールの検索を行い、該検索の結果として前記携帯端末の有する認証モジュールを特定する特定手段と、
前記画像処理装置における、生体認証を行うべき認証モジュールとして前記携帯端末の有する認証モジュールが特定された際に、前記携帯端末に対して、検証用データを送信する第１送信手段と、
前記画像処理装置における、前記携帯端末の有する認証モジュールによる前記ユーザーの認証処理の成功に応じて前記記憶手段に格納された前記秘密鍵を用いて暗号化された前記検証用データが、前記携帯端末から返却された場合に、該暗号化されたデータを、前記サービス提供システムに対して送信する第２送信手段と、
前記サービス提供システムにおける、前記サービス提供システムに登録されている前記公開鍵により前記暗号化されたデータが検証された場合に、前記画像処理装置に対してサービスを提供する提供手段と、を有することを特徴とするシステム。
【請求項１４】
生体認証のための認証モジュールと、該認証モジュールにより認証処理を行う際に必要なユーザーの生体情報および該生体情報に対応する秘密鍵を格納する耐タンパー性を備える記憶手段と、を有する携帯端末と、
前記携帯端末と通信できる通信機能を備える画像処理装置と、
前記ユーザーのユーザーＩＤに関連付けて公開鍵が登録されたサービス提供システムと、を含むシステムにおける方法であって、
前記画像処理装置における、前記サービス提供システムで発行された検証用データを受信した場合に、指定された通信方式に従い、当該通信方式に対応する通信機能を用いて生体認証を行うべき認証モジュールの検索を行い、該検索の結果として前記携帯端末の有する認証モジュールを特定する特定ステップと、
前記画像処理装置における、生体認証を行うべき認証モジュールとして前記携帯端末の有する認証モジュールが特定された際に、前記携帯端末に対して、検証用データを送信する第１送信ステップと、
前記画像処理装置における、前記携帯端末の有する認証モジュールによる前記ユーザーの認証処理の成功に応じて前記記憶手段に格納された前記秘密鍵を用いて暗号化された前記検証用データが、前記携帯端末から返却された場合に、該暗号化されたデータを、前記サービス提供システムに対して送信する第２送信ステップと、
前記サービス提供システムにおける、前記サービス提供システムに登録されている前記公開鍵により前記暗号化されたデータが検証された場合に、前記画像処理装置に対してサービスを提供する提供ステップと、を有することを特徴とする方法。
【手続補正２】
【補正対象書類名】明細書
【補正対象項目名】００１１
【補正方法】変更
【補正の内容】
【００１１】
本発明における画像処理装置は、生体認証のための認証モジュールと、該認証モジュールにより認証処理を行う際に必要なユーザーの生体情報および該生体情報に対応する秘密鍵を格納する耐タンパー性を備える記憶手段と、を有する携帯端末と通信できる通信機能を備える画像処理装置であって、
前記ユーザーのユーザーＩＤに関連付けて公開鍵が登録されたサービス提供システムで発行された検証用データを受信した場合に、指定された通信方式に従い、当該通信方式に対応する通信機能を用いて生体認証を行うべき認証モジュールの検索を行い、該検索の結果として前記携帯端末の有する認証モジュールを特定する特定手段と、生体認証を行うべき認証モジュールとして前記携帯端末の有する認証モジュールが特定された際に、前記携帯端末に対して、検証用データを送信する第１送信手段と、前記携帯端末の有する認証モジュールによる前記ユーザーの認証処理の成功に応じて前記記憶手段に格納された前記秘密鍵を用いて暗号化された前記検証用データが、前記携帯端末から返却された場合に、該暗号化されたデータを、前記サービス提供システムに対して送信する第２送信手段と、を有し、前記画像処理装置に対するサービスの提供のために、前記サービス提供システムにおいて前記サービス提供システムに登録されている前記公開鍵により前記暗号化されたデータが検証されることを特徴とする。